(57)【要約】【課題】平常時における使用状態と、非常時における格納状態とを簡単な操作によって切り替えることができ、設置高さを規定寸法以下に設定できる河川敷等の設置遊具を提供すること。【解決手段】上記課題を解決するために本発明の設置遊具１は、上部にステージ３を備えた昇降装置５と、上端がステージ３に対して回動自在に接続され、下端が転動ころ７によって地面ＧＬ上を走行し得るスライダ遊具本体９と、下端がステージ３に対して回動自在に接続され、使用状態と格納状態とを切り替えることのできる安全柵１１とを備えている。また昇降装置５は支持外筒２５と支持内筒２９とから構成される支持ポスト３１と、支持内筒２９上部の雌ネジ部２７と螺合するネジ軸１７と、ネジ軸１７を回転させるための操作ハンドル２１と、支持外筒２５に内嵌する摺動筒部３３とを備えている。【選択図】        図３
2005143994.tif 000002
【特許請求の範囲】
【請求項１】
河川敷等に設置され、平常時における使用状態と非常時における格納状態とに切り替えることのできる遊具設備において、非常時には設置高さを規定寸法以下に設定し得るよう、上部にステージを備えた昇降装置と、上端がステージに対して回動自在に接続され、下端が転動ころによって地面上を走行し得るスライダ遊具本体と、下端がステージに対して回動自在に接続され、使用状態と格納状態とを切り替えることのできる安全柵とを備えていることを特徴とする河川敷等の設置遊具。
【請求項２】
請求項１に記載の河川敷等の設置遊具において、昇降装置は、下部が地中に埋設され、コンクリート基礎によって固定された支持外筒と支持外筒の中心に位置し、上部に雌ネジ部を有する支持内筒とから構成される支持ポストと、支持内筒上部の雌ネジ部と螺合し、上部においてステージに対して回転自在に接続されるネジ軸と、ネジ軸上端の係合部と係合し、ネジ軸を回転させる操作ハンドルと、ステージ下面に固定され、支持外筒に内嵌する摺接筒部とを備えていることを特徴とする河川敷等の設置遊具。
【請求項３】
請求項１または２に記載の河川敷等の設置遊具において、スライダ遊具本体は、実質的に滑り台として機能する遊具要素と、ステージに上るための階段が形成されているステップ要素とから構成されており、使用状態においてスライダ遊具本体は適宜の固定手段によって地面に対して固定状態で設置されていることを特徴とする河川敷等の設置遊具。
【請求項４】
請求項１〜３のいずれかに記載の河川敷等の設置遊具において、スライダ遊具本体は、ステージを中心にして平面視放射状となるように配設されていることを特徴とする河川敷等の設置遊具。
【請求項５】
請求項１〜４のいずれかに記載の河川敷等の設置遊具において、スライダ遊具本体の下端には、スライダ遊具本体の地面への固定を補強する張綱を使用した補助固定具が取り付けられることを特徴とする河川敷等の設置遊具。
【請求項６】
請求項１〜５のいずれかに記載の河川敷等の設置遊具において、安全柵は、使用状態ではステージに対して垂直に起立した姿勢で適宜の固定手段によって固定され、一方格納状態では、ステージ下方に垂下した姿勢で上記同一の固定手段を使用して固定されるようにしたことを特徴とする河川敷等の設置遊具。
【発明の詳細な説明】
【技術分野】
【０００１】
本発明は、河川敷等に設置され、平常時における使用状態と、非常時における格納状態とに切り替えることのできる遊具設置に関するものである。
【背景技術】
【０００２】
河川敷等に遊具を設置する場合は、河川法の規制を受け、増水時等の非常時において遊具が流され、堤防等に衝突して堤防等に損傷を及ぼさないように、設置高さを１ｍ以下にするように定められている。
従って、河川敷等に設置できる遊具の種類、大きさは極めて限定されたものになってしまい、滑り台のように比較的大型の遊具の設置は事実上不可能とされていた。
【０００３】
また逆に比較的小さな遊具であれば、非常時においても簡単に取り外すことが容易であるし、増水時によってその遊具が流されたとしても堤防等に損傷を及ぼすという重大な事態には至らない。これに対し、滑り台のように比較的大型の遊具となれば、分解したとしても、相当の重量を有するから、持ち運びは困難であるし、短時間での分解、撤去は多大な困難を伴う。
【発明の開示】
【発明が解決しようとする課題】
【０００４】
本発明は、このような背景技術を踏まえてなされたものであって、平常時における使用状態と、非常時における格納状態とを簡単な操作によって切り替えることができ、これにより非常時における設置高さを規定寸法以下に設定できるようにした比較的大型の河川敷等の設置遊具を提供することを課題とするものである。
【課題を解決するための手段】
【０００５】
上記課題を解決するために請求項１に記載の発明は、河川敷等に設置され、平常時における使用状態と非常時における格納状態とに切り替えることのできる遊具設備において、非常時には設置高さを規定寸法以下に設定し得るよう、上部にステージを備えた昇降装置と、上端がステージに対して回動自在に接続され、下端が転動ころによって地面上を走行し得るスライダ遊具本体と、下端がステージに対して回動自在に接続され、使用状態と格納状態とを切り替えることのできる安全柵とを備えていることを特徴とする河川敷等の設置遊具である。
【０００６】
請求項２に記載の発明は、請求項１に記載の河川敷等の設置遊具において、昇降装置は、下部が地中に埋設され、コンクリート基礎によって固定された支持外筒と支持外筒の中心に位置し、上部に雌ネジ部を有する支持内筒とから構成される支持ポストと、支持内筒上部の雌ネジ部と螺合し、上部においてステージに対して回転自在に接続されるネジ軸と、ネジ軸上端の係合部と係合し、ネジ軸を回転させる操作ハンドルと、ステージ下面に固定され、支持外筒に内嵌する摺接筒部とを備えていることを特徴とする河川敷等の設置遊具である。
【０００７】
請求項３に記載の発明は、請求項１または２に記載の河川敷等の設置遊具において、スライダ遊具本体は、実質的に滑り台として機能する遊具要素と、ステージに上るための階段が形成されているステップ要素とから構成されており、使用状態においてスライダ遊具本体は適宜の固定手段によって地面に対して固定状態で設置されていることを特徴とする河川敷等の設置遊具である。
【０００８】
請求項４に記載の発明は、請求項１〜３のいずれかに記載の河川敷等の設置遊具において、スライダ遊具本体は、ステージを中心にして平面視放射状となるように配設されていることを特徴とする河川敷等の設置遊具である。
【０００９】
請求項５に記載の発明は、請求項１〜４のいずれかに記載の河川敷等の設置遊具において、スライダ遊具本体の下端には、スライダ遊具本体の地面への固定を補強する張綱を使用した補助固定具が取り付けられることを特徴とする河川敷等の設置遊具である。
【００１０】
請求項６に記載の発明は、請求項１〜５のいずれかに記載の河川敷等の設置遊具において、安全柵は、使用状態ではステージに対して垂直に起立した姿勢で適宜の固定手段によって固定され、一方格納状態では、ステージ下方に垂下した姿勢で上記同一の固定手段を使用して固定されるようにしたことを特徴とする河川敷等の設置遊具である。
【発明の効果】
【００１１】
本発明の河川敷等の設置遊具は、平常時における使用状態と、非常時における格納状態とを簡単な操作によって切り替えることができ、非常時における設置高さを規定寸法以下に設定することができる。
従って河川敷等に設置した遊具設備は、そのまま河川敷等に設置したままの状態でよく、分解や取り外し等の作業は不要である。これにより滑り台のように比較的大型の遊具設備を河川敷等に設置することが可能となる。
【発明を実施するための最良の形態】
【００１２】
以下図示の実施例に基づいて本発明を実施するための最良の形態について説明する。
図１は、本発明に係る河川敷等の設置遊具の使用状態を示す斜視図である。図２は、設置遊具の使用状態を示す側断面図、図３は設置遊具の格納状態を示す側断面図である。図４は昇降装置周辺を拡大して示す側断面図、図５はステージ周辺を拡大して示す平面図である。図６はスライダ遊具本体における遊具要素下端の地面に対する固定構造を示す側断面図、図７はスライダ遊具本体におけるステップ要素下端の地面に対する固定構造を示す側断面図である。図８は、安全柵の使用状態と格納状態を併せ示す正面図及び側面図である。図９はスライダ遊具本体下端に適用される補助固定具を示す平面図である。
【実施例１】
【００１３】
本発明に係る河川敷等の設置遊具１は、増水等の非常時には設置高さＨを１ｍ以下に設定しなければならないという河川法の規制に適合するものであって、これにより河川敷等への設置を可能にした遊具設備に関する。また本実施例では、遊具設備の一例としてバナナを模した滑り台に適用した実施例を採り上げて説明する。
【００１４】
河川敷等の設置遊具１は、平常時における図２に示す使用状態と、非常時における図３に示す格納状態とを切り替えることのできる構造を有している。具体的には上部にステージ３を備えた昇降装置５と、上端がステージ３に対して回動自在に接続され、下端が転動ころ７によって地面ＧＬ上を走行し得るスライダ遊具本体９と、下端がステージ３に対して回動自在に接続され、使用状態と格納状態とを切り替えることのできる安全柵１１とを備えることによって河川敷等の設置遊具１は構成されている。
【００１５】
ステージ３は適宜の鋼材を組み合わせることによって構成されており、図５に示すように平面視正八角形状の構造部材である。ステージ３の中央には矩形平板状の蓋体１３がビス１５等によって取り付けられている。またステージ３の対向する四辺は後述するスライダ遊具本体９との接続部位となっており、スライダ遊具本体９との接続部位の間の対向する残りの四辺に対して後述する安全柵１１が取り付けられている。
【００１６】
蓋体１３を開けると、次に述べる昇降装置５におけるネジ軸１７上端の係合部１９が上方に向って突出している。また係合部１９の周りに形成されている偏平円筒状の空間が係合部１９と係合する操作ハンドル２１の収容スペース２３となっている。
昇降装置５は下部が地中に埋設され、コンクリート基礎Ｃによって固定された円筒状の支持外筒２５と、支持外筒２５の中心に位置し、上部に雌ネジ部２７を有する同じく円筒状の支持内筒２９とから構成される支持ポスト３１を有している。
【００１７】
また昇降装置５には、支持内筒２９上部の雌ネジ部２７と螺合し、上部においてステージ３の下面においてネジ軸１７を囲むように設けられる摺動筒部３３が設けられている。ネジ軸１７の上端は雄ネジが形成されていない係合部１９となっていて、係合部１９の横断面形状と合致する形状の穴部を有する操作ハンドル２１が、この係合部１９に対して着脱自在に係合する。また雌ネジ部２７より下方に位置するネジ軸１７は、ネジ軸１７の回転に伴って下方に向って移動し、支持ポスト３１における支持内筒２９の内部スペースに進入する。
【００１８】
摺動筒部３３は、支持ポスト３１における支持外筒２５に対して内嵌すると共に、支持内筒２９に対して外嵌する円筒状の部材である。摺動筒部３３は、ネジ軸１７の回転に伴ってステージ３とネジ軸１７と共に昇降動し、支持ポスト３１内に入れ子状に進入し、あるいは支持ポスト３１の上方に突出するように移動する。従って摺動筒部３３は支持ポスト３１との協動によりステージ３を垂直方向に昇降動するための摺動案内作用を有している。
【００１９】
スライダ遊具本体９は、例えば強化プラスチック等によって形成されるバナナの形を模した外殻部材３４を有し、実質的に滑り台として機能する遊具要素３５と、ステージ３上に上るための階段３７が形成されているステップ要素３９とから構成されている。本実施例では図５に示すようにステージ３の対向する２辺に遊具要素３５とステップ要素３９をそれぞれ配したものを２組、平面視放射状となるように配設している。遊具要素３５は、外殻部材３４の凹部底面に人の臀部と接する滑走面４１を形成しており、滑走面４１を挟んでその左右から立ち上がる側壁が手すりとして機能する。
【００２０】
遊具要素３５の上端には図２中、拡大図に示すようにヒンジ４３の一方の翼板が固定されており、ヒンジ４３の他方の翼板は、ステージ３に対して固定されている。従って遊具要素３５はステージ３に対してヒンジ４３を介して上下方向に回動し得る状態で接続されている。遊具要素３５の下端には図６に示すように適宜のブラケットによって支持された転動ころ３７と、地中に埋設されたアンカーブラケット４５の上面に取り付けられている固定金具４７に対して、一例としてボルト、ナットを利用して固定される固定ブラケット４９とが設けられている。
【００２１】
上記固定金具４７と固定ブラケット４９との接続は、図２に示すように河川敷等の設置遊具１が使用状態にある時の安全を考慮して実施される。一方、ステップ要素３９は、外殻部材３４の凹部底面に階段３７を形成しており、階段３７を挟んでその左右から立ち上がる側壁が手すりとして機能する。ステップ要素３９の上端にも図示は省略するが遊具要素３５と同様、ステージ３との間にヒンジ４３が設けられている。
【００２２】
またステップ要素３９の下端には図７に示すように遊具要素３５と同様、適宜のブラケットによって支持された転動ころ７と、地中に埋設されたアンカーブラケット４５の上面に取り付けられている固定金具４７に対して、一例としてボルト、ナットを利用して固定される固定ブラケット４９とが設けられている。尚、上記固定金具４７と固定ブラケット４９との接続は図２に示すように河川敷等の設置遊具１が使用状態にある時の安全を考慮して実施される。
【００２３】
安全柵１１は、図８に示すようにステージ３上に下基台部５１、その上方に上基台部５３を有し、上基台部５３に対して柵本体５５を備えている。下基台部５１と上基台部５３は直方体状の部材でヒンジ５７を介して約１８０°の範囲に亘って回動し得るように接続されている。また下基台部５１はステージ３上に固定されており、柵本体５５は上基台部５３に対して固定状態で取り付けられていることから、柵本体５５は図８中、実線で示す使用状態での起立姿勢と、図８中、仮想線で示す格納状態での垂下姿勢とをとることができる。
【００２４】
図８中、符号５９で示す部材は固定手段の一例であるボルト、ナットであり、本実施例では同一のボルト、ナット５９を使用し、これを付け替えることによって安全柵１１の使用状態における固定と、格納状態における固定とを行っている。
また図９では、スライダ遊具本体９の格納時の固定、あるいは使用時の固定の万全を期すために設けられる補助固定具６１を図示している。図示の実施例では、スライダ遊具本体９の下端に一端を係止し、他端を内側に向けて斜めに張った２本の張綱６３と、張鋼６３の他端を地面ＧＬに固定するための係止部材６５を備えた補助固定具６１を示している。張綱６３としては一例として、金属製のワイヤが使用でき、図示を省略した適宜の張り具を使用して張綱６３の張設状態は調節されている。
【００２５】
次にこのようにして構成される本発明の河川敷等の設置遊具１の作動様態を使用時と格納時に分けて説明する。
（１）使用時（図２、３参照）
図３に示すように格納状態にある設置遊具１を図２に示す使用状態にする場合である。最初に図９に示す補助固定具６１が取り付けられている場合には、張り具を緩める等して取り外す。そしてステージ３上に取り付けられている蓋体１３をビス１５を緩めることによって取り外す。次に収容スペース２３内に収容されている操作ハンドル２１を取り出して、ネジ軸１７上端の係合部１９に係合させて、操作ハンドル２１を所定の方向に回す。
【００２６】
操作ハンドル２１を回すことによって、ネジ軸１７が回転し、ネジ軸１７に螺合している、回り止めされた状態の雌ネジ部２７の作用によって、ステージ3と摺動筒部３３は回転することなく上昇し、図２に示す使用状態に至る。次にスライダ遊具本体９の下端に設けられている固定ブラケット４９をアンカーブラケット４５の上面に設けられている固定金具４７に対してボルト、ナット等、適宜の固定手段を使用して固定する。
【００２７】
この時スライダ遊具本体９の上端は図２中、拡大図で示すようにヒンジ４３をスライダ遊具本体９及びステージ３に対して固定するために設けたボルト４４の頭部同士が当接することによってスライダ遊具本体９の内側への回動は防止されている。また必要に応じて補助固定具６１を使用し、張綱６３を緊張状態で張設すればスライダ遊具本体９の固定の万全を図ることができる。
【００２８】
次にボルト、ナット５９を緩めて安全柵１１を図８中、仮想線で示す垂下姿勢から図８中、実線で示す起立姿勢に移行し、取り外したボルト、ナット５９を使用して固定する。そして操作ハンドル２１を係合部１９から取り外し、再び収容スペース２３内に入れて蓋体１３を被せ、ビス１５によって蓋体１３をステージ３上に取り付ける。
（２）格納時（図２、３参照）
【００２９】
図２に示すように使用状態にある設置遊具１を図３に示す格納状態にする場合である。最初に図９に示す補助固定具６１が取り付けられている場合には、張り具を緩める等して取り外し、ボルト、ナットを緩めて固定ブラケット４９と固定金具４７との接続を解除する。
次にビス１５を緩めてステージ３上の蓋体１３を取り外し、操作ハンドル２１を取り出して係合部１９に係合させて所定の方向に回す。
【００３０】
操作ハンドル２１を回すことによって、ネジ軸１７が回転し、ネジ軸１７に螺合している、回り止めされた状態の雌ネジ部２７の作用によって、ステージ３と摺動筒部３３は回転することなく下降し、図３に示す格納状態に至る。尚、ステージ３の下降に伴ってスライダ遊具本体９の下端は、転動ころ７が地面ＧＬ上を転がることによって外方に向って移動する。図３に示すようにスライダ遊具本体９が開脚した状態になったところで、スライダ遊具本体９の下端を補助固定具６１によって必要に応じて固定する。
【００３１】
そしてステージ３に対して起立姿勢で保持されている安全柵１１をボルト、ナット５９を緩めることによって回動し得る状態にし、図８中、仮想線で示す垂下姿勢にして、取り外したボルト、ナット５９を使用して固定する。また操作ハンドル２１を係合部１９から取り外し、再び収容スペース２３内に入れて蓋体１３を被せ、ビス１５によって蓋体１３をステージ３上に取り付ける。図３に示す格納状態にした場合には、地面ＧＬからの設置高さＨが１ｍ以下となり、河川法の規制に合致した高さとなる。
【００３２】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。例えば、設置遊具１の具体的形態は前記実施例のような滑り台に限らず、鉄棒、ブランコ、うんていあるいはアスレチック用の遊具等の他の遊具設備や厳格に解釈すれば遊具の範疇を超えるが、あずま屋のような構造物であっても構わない。
【００３３】
また本発明の設置遊具１は河川敷において設置することを想定したものであるが、必ずしも河川敷に設置する必要はなく、公園やキャンプ場等、他の場所に設置することも可能である。この他、構造的には、昇降装置５は、モータや油圧シリンダを使用した動力を有するものであっても良く、スライダ遊具本体９や安全柵１１の固定手段は、ボルト、ナットに限らずクランプやバックル等であってもよいし、単なるピンであってもよい。
【図面の簡単な説明】
【００３４】
【図１】本発明に係る河川敷等の設置遊具の使用状態を示す斜視図である。
【図２】設置遊具の使用状態を示す側断面図である。
【図３】設置遊具の格納状態を示す側断面図である。
【図４】昇降装置周辺を拡大して示す側断面図である。
【図５】ステージ周辺を拡大して示す平面図である。
【図６】遊具要素下端の地面に対する固定構造を示す側断面図である。
【図７】ステップ要素下端の地面に対する固定構造を示す側断面図である。
【図８】安全柵の使用状態と格納状態を併せ示す正面図及び側面図である。
【図９】スライダ遊具本体下端に適用される補助固定具を示す平面図である。
【符号の説明】
【００３５】
１    （河川敷等の）設置遊具        ３    ステージ
５    昇降装置                      ７    転動ころ
９    スライダ遊具本体            １１    安全柵
１３    蓋体                        １５    ビス
１７    ネジ軸                      １９    係合部
２１    操作ハンドル                ２３    収容スペース
２５    支持外筒                    ２７    雌ネジ部
２９    支持内筒                    ３１    支持ポスト
３３    摺動筒部                    ３４    外殻部材
３５    遊具要素                    ３７    階段
３９    ステップ要素                ４１    滑走面
４３    ヒンジ                      ４４    ボルト
４５    アンカーブラケット          ４７    固定金具
４９    固定ブラケット              ５１    下基台部
５３    上基台部                    ５５    柵本体
５７    ヒンジ                      ５９    ボルト、ナット（固定手段）
６１    補助固定具                  ６３    張綱
６５    係止部材
ＧＬ    地面                          Ｃ    コンクリート基礎
Ｈ    設置高さ
【図１】
2005143994.tif 000003
【図２】
2005143994.tif 000004
【図３】
2005143994.tif 000005
【図４】
2005143994.tif 000006
【図５】
2005143994.tif 000007
【図６】
2005143994.tif 000008
【図７】
2005143994.tif 000009
【図８】
2005143994.tif 000010
【図９】
2005143994.tif 000011